(57)【特許請求の範囲】
【請求項１】
発光素子と、筐体と、を有し、
前記発光素子は、第１の電極と第２の電極との間に、発光性の有機化合物を含む層を有し、
前記筐体の一方の側に、第１の取り付け端子と、第２の取り付け端子とを有し、
前記第１の取り付け端子および前記第２の取り付け端子は、釘状、ピン状および板状のいずれかの形状であり、
前記第１の取り付け端子の先端と前記筐体との距離は、前記第２の取り付け端子の先端と前記筐体との距離よりも大きく、
前記第１の取り付け端子と、前記第２の取り付け端子とは、間隔をあけて位置し、
前記第１の取り付け端子は、前記第１の電極と電気的に接続され、
前記第２の取り付け端子は、前記第２の電極と電気的に接続され、
前記第１の電極および前記第２の電極の少なくとも一方は、前記発光性の有機化合物が発する光を透過することが可能であり、
前記発光素子は、前記筐体の他方の側に位置し、
前記第２の取り付け端子の先端と前記筐体との距離に対応する、前記第１の取り付け端子の部分は、電気的に絶縁されている照明装置。
【請求項２】
発光素子と、筐体と、を有し、
前記発光素子は、第１の電極と第２の電極との間に、発光性の有機化合物を含む層を有し、
前記筐体の一方の側に、第１の取り付け端子と、第２の取り付け端子とを有し、
前記第１の取り付け端子および前記第２の取り付け端子は、釘状、ピン状および板状のいずれかの形状であり、
前記第１の取り付け端子の先端と前記筐体との距離は、前記第２の取り付け端子の先端と前記筐体との距離よりも大きく、
前記第１の取り付け端子と、前記第２の取り付け端子とは、間隔をあけて位置し、
前記第１の取り付け端子は、前記第１の電極と電気的に接続され、
前記第２の取り付け端子は、前記第２の電極と電気的に接続され、
前記第１の電極および前記第２の電極の少なくとも一方は、前記発光性の有機化合物が発する光を透過することが可能であり、
前記発光素子は、前記筐体の他方の側に位置し、
前記第２の取り付け端子の先端と前記筐体との距離に対応する、前記第１の取り付け端子の部分は、絶縁性の被覆が設けられている照明装置。
【請求項３】
発光素子と、筐体と、を有し、
前記発光素子は、第１の電極と第２の電極との間に、発光性の有機化合物を含む層を有し、
前記筐体の一方の側に、第１の取り付け端子と、第２の取り付け端子とを有し、
前記第１の取り付け端子および前記第２の取り付け端子は、釘状、ピン状および板状のいずれかの形状であり、
前記第１の取り付け端子の先端と前記筐体との距離は、前記第２の取り付け端子の先端と前記筐体との距離よりも大きく、
前記第１の取り付け端子と、前記第２の取り付け端子とは、間隔をあけて位置し、
前記第１の取り付け端子は、前記第１の電極と電気的に接続され、
前記第２の取り付け端子は、前記第２の電極と電気的に接続され、
前記第１の電極および前記第２の電極の少なくとも一方は、前記発光性の有機化合物が発する光を透過することが可能であり、
前記発光素子は、前記筐体の他方の側に位置し、
前記第２の取り付け端子の先端と前記筐体との距離に対応する、前記第１の取り付け端子の部分は、絶縁性の樹脂が設けられている照明装置。
【請求項４】
請求項１乃至請求項３のいずれか一において、
前記筐体の一方の側に、第３の取り付け端子を有し、
前記第３の取り付け端子は、前記発光素子と電気的に接続されていない照明装置。
【請求項５】
請求項１乃至請求項４のいずれか一において、
取り付けボードが有する第１の配線および第２の配線と電気的に接続可能である照明装置。
【発明の詳細な説明】
【技術分野】
【０００１】
本発明は、照明装置と該照明装置の取り付けボードに関する。
【背景技術】
【０００２】
有機ＥＬ素子は一対の電極の間に発光性の有機化合物を含む層（ＥＬ層ともいう）を挟んだ構成を備える。この素子の一対の電極間に電圧を印加することにより、発光性の有機化合物から発光を得る。
【０００３】
有機ＥＬ素子は膜状に形成することが可能であるため、大面積の素子を容易に形成することができ、照明等に応用できる面光源としての利用価値も高い。
【０００４】
例えば、有機ＥＬ素子を用いた照明器具が特許文献１に開示されている。
【先行技術文献】
【特許文献】
【０００５】
【特許文献１】特開２００６−１０８６５１号公報
【発明の概要】
【発明が解決しようとする課題】
【０００６】
ところで、照明装置を天井等の施設に設ける場合、照明装置の重量を支えるために支持具を設ける必要があった。また、美観を損なわずに電灯線から照明装置に電力を供給するために、天井等の施設に設けられた開口を介して配線と接続する必要があった。そのため、一度据え付けた照明の位置を変更し難いという問題があった。
【０００７】
本発明は、このような技術的背景のもとでなされたものである。したがって、その目的は、取り付け位置を容易に変更可能な照明装置及び該照明装置の取り付けボードを提供することを目的の一とする。
【課題を解決するための手段】
【０００８】
上記目的を達成するために、本発明は、軽量な面状の発光素子に着眼した。そして、軽量な面状の発光素子が固定された筐体に設けた取り付け端子を取り付けボードに差し込んで、該筐体を固定し、該取り付けボードの内部に設けた配線から、該発光素子に該取り付け端子を介して電力を供給する照明装置の構成に想到し、上記課題の解決に至った。
【０００９】
すなわち、本発明の一態様は、面状に拡がる第１の電極と面状に拡がる第２の電極の間に発光性の有機化合物を含む層を備える発光素子と、第１の電極と電気的に接続する第１の取り付け端子と、第２の電極と電気的に接続する第２の取り付け端子と、を一方の側に間隔を設けて備える筐体を有する照明装置である。なお、第１の電極または第２の電極のいずれか一方は発光性の有機化合物が発する光を透過し、第１の電極または第２の電極の他方は筐体の他方の側に位置し、第１の取り付け端子と第２の取り付け端子は、断面積の０．５倍以上６倍以下の表面積を有する。
【００１０】
また、本発明の一態様は、面状に拡がる第１の部材と、面状に拡がる第２の部材の間に、間隔を設けて第１の配線と第２の配線が配設された上記の照明装置の取り付けボードである。なお、第１の配線と第２の配線は極性が異なり、第１の配線は、第１の取り付け端子の幅より広く、第２の配線は、第２の取り付け端子の幅より広く、第１の部材は、第１の取り付け端子または第２の取り付け端子のいずれの長さより薄く、且つ第１の取り付け端子及び第２の取り付け端子を用いて貫通可能な構成を備える。
【００１１】
上記本発明の一態様によれば、軽量な面状の発光素子が固定された筐体に設けた取り付け端子を取り付けボードに差し込んで、該筐体を固定し、該取り付けボードの内部に設けた配線から、該発光素子に該取り付け端子を介して電力を供給できる。これにより、取り付けボードに美観を損なう加工を施す必要がなくなり、容易に取り付け位置を変更可能な照明装置及び該照明装置の取り付けボードを提供できる。
【００１２】
また、本発明の一態様は、面状に拡がる第１の電極と面状に拡がる第２の電極の間に、発光性の有機化合物を含む層を備える発光素子と、第１の電極と電気的に接続する第１の取り付け端子と、第２の電極と電気的に接続する第２の取り付け端子と、を一方の側に備える筐体と、を有する照明装置である。なお、第１の電極または第２の電極のいずれか一方は発光性の有機化合物が発する光を透過し、第１の電極または第２の電極の他方は筐体の他方の側に位置し、第１の取り付け端子と第２の取り付け端子は、断面積の０．５倍以上６倍以下の表面積を有し、第１の取り付け端子と第２の取り付け端子の一方は他方より長く、且つ他方より筐体から離れた部分に接点を有する。
【００１３】
また、本発明の一態様は、面状に拡がる第１の部材と面状に拡がる第２の部材の間に、面状に拡がる第１の配線が配設され、第２の部材の第１の部材に面する側とは逆側の面に、第１の配線とは極性が異なり且つ面状に拡がる第２の配線が配設された上記の照明装置の取り付けボードである。なお、第１の部材は、第１の取り付け端子または第２の取り付け端子のいずれの長さより薄く、第１の部材、第１の配線、並びに第２の部材を重ねた厚みは、第１の取り付け端子または第２の取り付け端子のいずれか一方の長さより厚く、且つ他方の長さより薄い。また、第１の部材は、第１の取り付け端子または第２の取り付け端子のいずれをもちいても貫通可能であり、第２の部材は、第１の取り付け端子または第２の取り付け端子のいずれか長い方の取り付け端子を用いて貫通可能な、上記の照明装置の取り付けボードである。
【００１４】
また、本発明の一態様は、面状に拡がる第１の電極と面状に拡がる第２の電極の間に、発光性の有機化合物を含む層を備える発光素子と、取り付け端子を一方の側に備える筐体と、を有する照明装置である。なお、第１の電極または第２の電極のいずれか一方は発光性の有機化合物が発する光を透過し、第１の電極または第２の電極の他方は筐体の他方の側に位置し、取り付け端子は第１の電極と電気的に接続する第１の接点を先端側に、第２の電極と電気的に接続する第２の接点を筐体側に備え、取り付け端子は、断面積の０．５倍以上６倍以下の表面積を有する照明装置である。
【００１５】
また、本発明の一態様は、面状に拡がる第１の部材と面状に拡がる第２の部材の間に、面状に拡がる第１の配線が配設され、第２の部材の第１の部材に面する側とは逆側の面に、第１の配線とは極性が異なり且つ面状に拡がる第２の配線が配設された上記の発光装置の取り付けボードである。なお、第１の部材は、筐体から取り付け端子の第１の接点までの長さ、または筐体から取り付け端子の第２の接点までの長さのいずれよりも薄く、第１の部材、第１の配線、並びに第２の部材を重ねた厚さは、筐体から取り付け端子の第２の接点までの長さより厚く、且つ取り付け端子の第１の接点までの長さより薄い。また、第１の部材及び第２の部材は、取り付け端子を用いて貫通可能な、上記の照明装置の取り付けボードである。
【００１６】
上記本発明の一態様によれば、取り付け端子が設けられた筐体に軽量な面状の発光素子を固定し、配線が設けられた取り付けボードに該取り付け端子を差し込んで該筐体を固定し、該取り付けボードに設けられた配線から、該取り付け端子を介して照明装置に電力を供給できる。これにより、取り付けボードに美観を損なう加工を施す必要がなくなり、容易に取り付け位置を使用者が望む位置に変更可能な照明装置及び該照明装置の取り付けボードを提供できる。
【００１７】
なお、本明細書において、ＥＬ層とは発光素子の一対の電極間に設けられた層を示すものとする。従って、電極間に挟まれた発光物質である有機化合物を含む発光層はＥＬ層の一態様である。
【発明の効果】
【００１８】
本発明によれば、取り付け位置を容易に変更可能な照明装置及び該照明装置の取り付けボードを提供できる。
【図面の簡単な説明】
【００１９】
【図１】実施の形態に係わる照明装置および取り付けボードを説明する図。
【図２】実施の形態に係わる照明装置および取り付けボードを説明する図。
【図３】実施の形態に係わる発光素子を説明する図。
【図４】実施の形態に係わる発光素子を説明する図。
【図５】実施の形態に係わる照明装置および取り付けボードを説明する図。
【発明を実施するための形態】
【００２０】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２１】
（実施の形態１）
本実施の形態では、軽量な面状の発光素子が固定された筐体に設けた取り付け端子を取り付けボードに差し込んで、該筐体を固定し、該取り付けボードの内部に設けた配線から、該発光素子に該取り付け端子を介して電力を供給する構成を適用した照明装置と、該照明装置の取り付けボードについて図１を参照して説明する。
【００２２】
本実施の形態で例示する照明装置１３０と照明装置１３０の取り付けボード１４０を、図１に示す。
【００２３】
照明装置１３０は発光素子１１０と筐体１２０を備える。発光素子１１０は面状に拡がる第１の電極と、面状に拡がる第２の電極の間に、発光性の有機化合物を含む層を備える。また発光素子１１０は第１の取り出し端子１１１と第２の取り出し端子１１２を有し、第１の取り出し端子１１１は第１の電極と、第２の取り出し端子１１２は第２の電極と接続している。発光素子１１０としては、例えば有機エレクトロルミネッセンス素子（有機ＥＬ素子ともいう）が適用できる。
【００２４】
筐体１２０は発光素子１１０を支持する。また、筐体１２０は、第１の取り付け端子１２１と第２の取り付け端子１２２を互いに離して備え、第１の取り付け端子１２１は第１の取り出し端子１１１と電気的に接続し、第２の取り付け端子１２２は第２の取り出し端子１１２に電気的に接続している。取り付け端子は釘状（ピン状）、または板状の形態が好ましいが、それには限らない。釘状、または板状とすることで、取り付けボードへの差し込みが容易になり、また取り付けボードとの間に生じる摩擦により脱落し難い。特に、その表面積は断面積の０．５倍以上であると脱落し難く、６倍以下であると取り付け端子の差し込みが容易となるため好ましい。ここで表面積とは、取り付け端子が取り付けボードと接する部分の面積をいい、断面積とは、取り付け端子を取り付けボードへの差し込み方向に垂直な面で切った時の面積をいう。
【００２５】
なお、第１の取り付け端子１２１および第２の取り付け端子１２２とは別に、発光素子１１０と電気的に接続していない取り付け端子を筐体１２０に設けてもよい。このような構成とすることで、照明装置１３０を取り付けボード１４０により確実に固定できる。
【００２６】
照明装置１３０の取り付けボード１４０は、面状に拡がる第１の部材１４１と、面状に拡がる第２の部材１４２を備える。照明装置の大きさに制限はなく，  例えば、照明装置の面積が０．１ｃｍ２以上、１００ｃｍ２未満、好ましくは１００ｃｍ２以上のものを用いることができる。第１の部材１４１は弾性を有し、厚み方向に取り付け端子との摩擦の大きい領域を有する。第１の取り付け端子１２１および第２の取り付け端子１２２を差し込む位置には、あらかじめ差し込み孔を設けても良いし、第１の取り付け端子１２１および第２の取り付け端子１２２を差し込むことで差し込み孔を形成してもよい。第１の部材１４１に用いることができる材料としては、石膏ボード、発泡ウレタンボード等をその例に挙げることができる。
【００２７】
第１の部材１４１と第２の部材１４２の間には一方向に長く且つ互いに平行な第１の配線１５１と第２の配線１５２が設けられている。第１の配線１５１と第２の配線１５２に用いることができる材料としては、導電性を有するテープ状の金属箔（具体的には銅箔）や、繊維状の金属をメッシュ状に編んだもの、または繊維状の金属を不織布状に成型したものを用いることができる。第１の配線１５１と第２の配線１５２は、第１の取り付け端子１２１と第２の取り付け端子１２２の間隔と同じ間隔で配設されている。このような構成とすることで、第１の部材１４１に差し込まれた第１の取り付け端子１２１は第１の部材１４１を貫通して第１の配線１５１に電気的に接続し、第１の部材１４１に差し込まれた第２の取り付け端子１２２は第１の部材１４１を貫通して第２の配線１５２に電気的に接続する。さらに、第１の配線１５１と第２の配線１５２は一方向に長く配設されているため、その一方向に長い方向に沿って照明装置１３０を容易に移設できる。
【００２８】
なお、電源１６０は、第１の配線１５１と第２の配線１５２に電力を供給している。従って、電源１６０は第１の配線１５１と第２の配線１５２から、第１の取り付け端子１２１と第２の取り付け端子１２２、並びに第１の取り出し端子１１１と第２の取り出し端子１１２を介して発光素子１１０の面状に拡がる第１の電極と、面状に拡がる第２の電極に電力を供給する。
【００２９】
また、複数の照明装置を取り付けボード１４０に取り付けることができる。第１の配線１５１と第２の配線１５２の間に取り付けた複数の照明装置は、電源１６０に対して並列に接続される。例えば、発光素子１１０に有機ＥＬ素子を用いる場合、並列接続された照明装置を同じ明るさで駆動することが困難である。なぜなら、有機ＥＬ素子は駆動電圧の微小な変化で明るさが大きく変化するからである。そこで、筐体１２０に定電流回路を設けて、第１の取り付け端子と第２の取り付け端子で受電した電力を当該定電流回路で定電流に変換して、発光素子１１０に供給する構成としてもよい。このような構成とすることにより、電源１６０に並列に接続された複数の照明装置を同じ明るさで点灯することができる。
【００３０】
第１の配線１５１の幅（一方向に長い方向に直交する短い方向を幅とする）は、第１の取り付け端子１２１の幅（すなわち第１の配線１５１の短い方向についての寸法）より広く、第２の配線１５２の幅（一方向に長い方向に直交する短い方向を幅とする）は、第２の取り付け端子１２２の幅（すなわち第２の配線１５２の短い方向についての寸法）より広い。このような構成とすることで、取り付け端子が配線を切断してしまう不具合を防止できる。
【００３１】
本実施の形態で例示した軽量な面状の発光素子が固定された筐体に設けた取り付け端子を取り付けボードに差し込んで、該筐体を固定し、該取り付けボードの内部に設けた配線から、該取り付け端子を介して電力を供給する構成を適用した照明装置と、該照明装置の取り付けボードは、取り付けボードに美観を損なう加工を施す必要がなくなり、容易に取り付け位置を変更可能な照明装置及び該照明装置の取り付けボードを提供できる。
【００３２】
なお、本実施の形態は、本明細書で示す他の実施の形態と適宜組み合わせることができる。
【００３３】
（実施の形態２）
本実施の形態では、軽量な面状の発光素子が固定された筐体に設けた取り付け端子を取り付けボードに差し込んで、該筐体を固定し、該取り付けボードに設けた配線から、該発光素子に取り付け端子を介して電力を供給する構成を適用した照明装置と、該照明装置の取り付けボードについて図２を参照して説明する。
【００３４】
本実施の形態で例示する照明装置２３０と照明装置２３０の取り付けボード２４０を、図２（Ａ）に示す。
【００３５】
照明装置２３０は発光素子１１０と筐体２２０を備える。発光素子１１０は実施の形態１で説明した発光素子と同様のものを用いることができる。
【００３６】
筐体２２０は発光素子１１０を支持する。また、筐体２２０は、第１の取り付け端子２２１と第２の取り付け端子２２２を互いに離して備え、第１の取り付け端子２２１は第１の取り出し端子１１１と電気的に接続し、第２の取り付け端子２２２は第２の取り出し端子１１２に電気的に接続している。なお、第１の取り付け端子２２１は第２の取り付け端子２２２より長く、第２の取り付け端子２２２に比べて筐体から離れた部分に接点を有する。なお、第１の取り付け端子２２１の筐体側の部分、具体的には筐体から第２の取り付け端子２２２と同じ長さの部分は絶縁されている必要がある。第１の取り付け端子２２１の筐体側の部分に絶縁性の被覆を設ける方法としては、例えばテトラフルオロエチレン等の絶縁性の樹脂や、塗料などを塗布すればよい。取り付け端子は釘状、または板状の形態が好ましい。釘状、または板状とすることで、取り付けボードへの差し込みが容易になり、また取り付けボードとの間に生じる摩擦により脱落し難い。特に、その表面積は断面積の０．５倍以上であると脱落し難く、６倍以下であると取り付け端子の差し込みが容易となるため好ましい。
【００３７】
なお、第１の取り付け端子２２１および第２の取り付け端子２２２とは別に、発光素子１１０と電気的に接続していない取り付け端子を筐体２２０に設けてもよい。このような構成とすることで、照明装置２３０を取り付けボード２４０により確実に固定できる。
【００３８】
照明装置２３０の取り付けボード２４０は、面状に拡がる第１の部材１４１と、面状に拡がる第２の部材１４２を備える。第１の部材１４１は実施の形態１で説明した第１の部材１４１と同様のものを用いることができる。なお本実施の形態では、第２の部材１４２についても、実施の形態１で説明した第１の部材１４１と同様のものを用いる。
【００３９】
第１の部材１４１と第２の部材１４２の間には第１の配線２５１が設けられている。また、第１の部材１４１に面する側とは逆側の第２の部材１４２の面には、第２の配線２５２が設けられている。このような構成とすることで、第１の部材１４１に差し込まれた第２の取り付け端子２２２は第１の配線２５１と電気的に接続し、第１の部材１４１並びに第２の部材１４２に差し込まれた第１の取り付け端子２２１は第２の配線２５２と電気的に接続できる。さらに、第１の配線２５１と第２の配線２５２は面状に拡がって配設されているため、その配線が設けられた領域内であれば自由に照明装置２３０を移設できる。
【００４０】
なお、電源１６０は、第１の配線２５１と第２の配線２５２に電力を供給している。従って、電源１６０は第１の配線２５１と第２の配線２５２から、第１の取り付け端子２２１と第２の取り付け端子２２２、並びに第１の取り出し端子１１１と第２の取り出し端子１１２を介して、発光素子１１０の面状に拡がる第１の電極と、面状に拡がる第２の電極に電力を供給する。
【００４１】
図２（Ａ）には、第１の取り付け端子２２１と第２の取り付け端子２２２が間隔をあけて配設されている態様が例示されているが本実施の形態はこれに限られない。
【００４２】
本実施の形態の変形例について、図２（Ｂ）を用いて説明する。図２（Ｂ）に例示する照明装置３３０は発光素子１１０と筐体３２０を備える。発光素子１１０は実施の形態１で説明した発光素子と同様のものを用いることができる。
【００４３】
筐体３２０は発光素子１１０を支持する。また、筐体３２０は、取り付け端子３２１を備える。取り付け端子３２１は先端に第１の接点３２１ａを、筐体側に第２の接点３２１ｂを備える。第１の接点３２１ａは第１の取り出し端子１１１と電気的に接続し、第２の接点３２１ｂは第２の取り出し端子１１２に電気的に接続している。取り付け端子は釘状、または板状の形態が好ましい。釘状、または板状とすることで、取り付けボードへの差し込みが容易になり、また取り付けボードとの間に生じる摩擦により脱落し難い。特に、その表面積は断面積の０．５倍以上であると脱落し難く、６倍以下であると取り付け端子の差し込みが容易となるため好ましい。
【００４４】
なお、取り付け端子３２１とは別に、発光素子１１０と電気的に接続していない取り付け端子を筐体３２０に設けてもよい。このような構成とすることで、照明装置３３０を取り付けボード２４０に確実に固定できる。
【００４５】
第１の部材１４１と第２の部材１４２の間には第１の配線２５１が設けられている。また、第１の部材１４１に面する側とは逆側の第２の部材１４２の面には、第２の配線２５２が設けられている。このような構成とすることで、第１の部材１４１に差し込まれた取り付け端子３２１の第２の接点３２１ｂは第１の配線２５１と電気的に接続し、第１の部材１４１並びに第２の部材１４２に差し込まれた取り付け端子３２１の第１の接点３２１ａは第２の配線２５２と電気的に接続できる。さらに、第１の配線２５１と第２の配線２５２は面状に拡がって配設されているため、その配線が設けられた領域内であれば自由に照明装置３３０を移設できる。
【００４６】
本実施の形態で例示した軽量な面状の発光素子が固定された筐体に設けた取り付け端子を取り付けボードに差し込んで、該筐体を固定し、該取り付けボードに設けた配線から、該取り付け端子を介して電力の供給を受ける構成を適用した照明装置と、該照明装置の取り付けボードは、取り付けボードに美観を損なう加工を施す必要がなくなり、容易に取り付け位置を使用者が望む位置に変更可能な照明装置及び該照明装置の取り付けボードを提供できる。
【００４７】
なお、本実施の形態は、本明細書で示す他の実施の形態と適宜組み合わせることができる。
【００４８】
（実施の形態３）
本実施の形態では、軽量な面状の発光素子が固定された筐体に設けた取り付け端子を取り付けボードに差し込んで、該筐体を固定し、該取り付けボードの内部に設けた配線から、該発光素子に該取り付け端子を介して電力の供給を受ける構成を適用した照明装置に適用できる発光素子の構成の一例について図３及び図４を参照して説明する。
【００４９】
本実施の形態で例示する発光素子は、第１の電極、第２の電極、並びに第１の電極と第２の電極の間に発光性の有機化合物を含む層（以下ＥＬ層という）を備える。本実施の形態では、基板上に形成された第１の電極は陽極として機能し、第２の電極が陰極として機能する。ＥＬ層は第１の電極と第２の電極の間に設けられ、該ＥＬ層の構成は第１の電極と第２の電極の材質に合わせて適宜選択すればよい。以下に発光素子の構成の一例を例示するが、発光素子の構成がこれに限定されないことは言うまでもない。
【００５０】
＜発光素子の構成例１．＞
発光素子の構成の一例を図３（Ａ）に示す。図３（Ａ）に示す発光素子は、陽極１１０１と陰極１１０２の間にＥＬ層１１０３が挟んで設けられている。
【００５１】
陽極１１０１と陰極１１０２の間に、閾値電圧より高い電圧を印加すると、ＥＬ層１１０３に陽極１１０１の側からホールが注入され、陰極１１０２の側から電子が注入される。注入された電子とホールはＥＬ層１１０３において再結合し、ＥＬ層１１０３に含まれる発光物質が発光する。
【００５２】
ＥＬ層１１０３は、少なくとも発光物質を含む発光層を備えていればよく、発光層以外の層と積層された構造であっても良い。発光層以外の層としては、例えばホール注入性の高い物質、ホール輸送性の高い物質、ホール輸送性に乏しい（ブロッキングする）物質、電子輸送性の高い物質、電子注入性の高い物質、並びにバイポーラ性（電子及びホールの輸送性の高い）の物質等を含む層が挙げられる。
【００５３】
ＥＬ層１１０３の具体的な構成の一例を図３（Ｂ）に示す。図３（Ｂ）に示すＥＬ層１１０３は、ホール注入層１１１３、ホール輸送層１１１４、発光層１１１５、電子輸送層１１１６、並びに電子注入層１１１７が陽極１１０１側から積層されている。
【００５４】
＜発光素子の構成例２．＞
発光素子の構成の他の一例を図３（Ｃ）に示す。図３（Ｃ）に例示する発光素子は、陽極１１０１と陰極１１０２の間にＥＬ層１１０３が挟んで設けられている。さらに、陰極１１０２とＥＬ層１１０３との間には中間層１１０４が設けられている。なお、当該発光素子の構成例２のＥＬ層１１０３には、上述の発光素子の構成例１と同様の構成が適用可能であり、詳細については、発光素子の構成例１の記載を参酌できる。
【００５５】
中間層１１０４は少なくとも電荷発生領域を含んで形成されていればよく、電荷発生領域以外の層と積層された構成であってもよい。例えば、第１の電荷発生領域１１０４ｃ、電子リレー層１１０４ｂ、及び電子注入バッファー１１０４ａが陰極１１０２側から順次積層された構造を適用することができる。
【００５６】
中間層１１０４における電子とホールの挙動について説明する。陽極１１０１と陰極１１０２の間に、閾値電圧より高い電圧を印加すると、第１の電荷発生領域１１０４ｃにおいて、ホールと電子が発生し、ホールは陰極１１０２へ移動し、電子は電子リレー層１１０４ｂへ移動する。電子リレー層１１０４ｂは電子輸送性が高く、第１の電荷発生領域１１０４ｃで生じた電子を電子注入バッファー１１０４ａに速やかに受け渡す。電子注入バッファー１１０４ａはＥＬ層１１０３に電子を注入する障壁を緩和し、ＥＬ層１１０３への電子注入効率を高める。従って、第１の電荷発生領域１１０４ｃで発生した電子は、電子リレー層１１０４ｂと電子注入バッファー１１０４ａを経て、ＥＬ層１１０３のＬＵＭＯ準位に注入される。
【００５７】
また、電子リレー層１１０４ｂは、第１の電荷発生領域１１０４ｃを構成する物質と電子注入バッファー１１０４ａを構成する物質が界面で反応し、互いの機能が損なわれてしまう等の相互作用を防ぐことができる。
【００５８】
＜発光素子の構成例３．＞
発光素子の構成の他の一例を図４（Ａ）に示す。図４（Ａ）に例示する発光素子は、陽極１１０１と陰極１１０２の間にＥＬ層１１０３ａ、ＥＬ層１１０３ｂが設けられている。さらに、ＥＬ層１１０３ａと、ＥＬ層１１０３ｂとの間には中間層１１０４が設けられている。
【００５９】
なお、陽極と陰極の間に設けるＥＬ層は二つに限定されない。図４（Ｂ）に例示する発光素子は、ＥＬ層１１０３が複数積層された構造、所謂、積層型素子の構成を備える。但し、例えば陽極と陰極の間にｎ（ｎは２以上の自然数）層のＥＬ層１１０３を設ける場合には、ｍ（ｍは自然数、１以上（ｎ−１）以下）番目のＥＬ層と、（ｍ＋１）番目のＥＬ層との間に、それぞれ中間層１１０４を設ける構成とする。
【００６０】
また、当該発光素子の構成例３のＥＬ層１１０３ａ及びＥＬ層１１０３ｂには、上述の発光素子の構成例１と同様の構成を適用することが可能であり、また当該発光素子の構成例３の中間層１１０４には、上述の発光素子の構成例２と同様の構成が適用可能である。よって、詳細については、発光素子の構成例１、または発光素子の構成例２の記載を参酌できる。
【００６１】
ＥＬ層の間に設けられた中間層１１０４における電子とホールの挙動について説明する。陽極１１０１と陰極１１０２の間に、閾値電圧より高い電圧を印加すると、中間層１１０４においてホールと電子が発生し、ホールは陰極１１０２側に設けられたＥＬ層へ移動し、電子は陽極１１０１側に設けられたＥＬ層へ移動する。陰極側に設けられたＥＬ層に注入されたホールは、陰極側から注入された電子と再結合し、当該ＥＬ層に含まれる発光物質が発光する。また、陽極側に設けられたＥＬ層に注入された電子は、陽極側から注入されたホールと再結合し、当該ＥＬ層に含まれる発光物質が発光する。依って、中間層１１０４において発生したホールと電子は、それぞれ異なるＥＬ層において発光に至る。
【００６２】
なお、ＥＬ層同士を接して設けることで、両者の間に中間層と同じ構成が形成される場合は、ＥＬ層同士を接して設けることができる。具体的には、ＥＬ層の一方の面に電荷発生領域が形成されていると、当該電荷発生領域は中間層の第１の電荷発生領域として機能するため、ＥＬ層同士を接して設けることができる。
【００６３】
発光素子の構成例１乃至構成３は、互いに組み合わせて用いることができる。例えば、発光素子の構成例３の陰極とＥＬ層の間に中間層を設けることもできる。
【００６４】
（実施の形態４）
本実施の形態では、本発明の一態様の発光デバイスを用いて完成させた照明装置と、照明装置の取り付けボードの一例について、図５を用いて説明する。
【００６５】
本発明の一態様では、発光部が曲面を有する照明装置を実現することもできる。
【００６６】
本発明の一態様は、自動車の照明にも適用することができ、例えば、ダッシュボードや、天井等に照明を容易に設置することもできる。
【００６７】
図５（Ａ）では、本発明の一態様を適用した、照明装置の取り付けボードが設けられた室内の天井と、そこに取り付けられた照明装置９０１、照明装置の取り付けボードが設けられた壁面と、そこに取り付けられた照明装置９０４及び照明装置の取り付けボードを備える卓上照明器具９０３を示す。発光装置は大面積化も可能であるため、大面積の照明装置として用いることができる。
【００６８】
図５（Ｂ）に別の照明装置の例を示す。図５（Ｂ）に示す卓上照明装置は、照明部９５０１、支柱９５０３、支持台９５０５等を含む。照明部９５０１は、本発明の一態様の照明装置の取り付けボードと発光デバイスを含む。このように、本発明の一態様では、曲面を有する照明装置を実現することができる。
【００６９】
本実施の形態は、他の実施の形態と自由に組み合わせることができる。
【符号の説明】
【００７０】
１１０    発光素子
１１１    端子
１１２    端子
１２０    筐体
１２１    端子
１２２    端子
１３０    照明装置
１４０    ボード
１４１    部材
１４２    部材
１５１    配線
１５２    配線
１６０    電源
２２０    筐体
２２１    端子
２２２    端子
２３０    照明装置
２４０    ボード
２５１    配線
２５２    配線
３２０    筐体
３２１    端子
３３０    照明装置
９０１    照明装置
９０３    卓上照明器具
９０４    照明装置
１１０１    陽極
１１０２    陰極
１１０３    ＥＬ層
１１０４    中間層
１１１３    ホール注入層
１１１４    ホール輸送層
１１１５    発光層
１１１６    電子輸送層
１１１７    電子注入層
３２１ａ    接点
３２１ｂ    接点
１１０３ａ    ＥＬ層
１１０３ｂ    ＥＬ層
１１０４ａ    電子注入バッファー
１１０４ｂ    電子リレー層
１１０４ｃ    電荷発生領域
９５０１    照明部
９５０３    支柱
９５０５    支持台
【図１】
0005809570.tif 000002
【図２】
0005809570.tif 000003
【図３】
0005809570.tif 000004
【図４】
0005809570.tif 000005
【図５】
0005809570.tif 000006